(57)【要約】【課題】サウナの床面、又は浴室の出入り口となる更衣室の床面に敷設して使用し、細菌が繁殖しにくく、安心して使用できる抗菌性マットを提供する。【解決手段】  銀、銅、亜鉛から選択される少なくとも一種の金属元素を含有する無機系抗菌剤と、消臭剤とを、多孔質構造を有する高分子繊維の表面に定着させるか又は繊維内部に分散させた抗菌性繊維を用いて形成される。抗菌性繊維は、繊維の孔または表面から、サウナまたは浴室の使用によって発生した水分の付着に伴って、無機系抗菌剤の金属元素をイオンとして水分中に放出し、該金属イオンによって細菌の増殖を抑制するとともに、消臭剤をも放出して、細菌に起因する悪臭を低減する。また、抗菌性繊維の孔は毛細管現象によって水分を吸収する水分吸収孔として機能する。【選択図】図１
0003104549.tif 000002
【実用新案登録請求の範囲】
【請求項１】
サウナの床面、又は浴室の出入り口となる更衣室の床面などの、湿気の多い部屋に敷設して使用する抗菌性マットにおいて、
銀、銅、亜鉛から選択される少なくとも一種の金属元素を含有する無機系抗菌剤と、消臭剤とを、アクリル、ポリプロピレン、ポリエステル、ポリアミドから選択される少なくとも一種の高分子化合物から成りかつ多孔質構造を有する高分子繊維の表面に定着させるか又は繊維内部に分散させた抗菌性繊維を用いて形成され、
前記抗菌性繊維は、前記サウナまたは前記浴室の使用によって発生した水分の付着に伴って、前記無機系抗菌剤の金属元素をイオンとして、繊維の孔または表面から前記水分中に放出し、該金属イオンによって細菌の増殖を抑制するとともに、前記消臭剤をも放出して、前記細菌に起因する悪臭を低減し、かつ、
前記抗菌性繊維の孔は毛細管現象によって前記水分を吸収する水分吸収孔として機能することを特徴とする抗菌性マット。
【請求項２】
浴室の出入り口となる更衣室の床面に敷設して使用し、
前記抗菌性繊維を用いて表面が長方形状となるように形成され、該表面に少なくとも２個の表示部を有し、該表示部に抗菌性能を有する内容の表示がされるとともに、第一の表示部は長方形状をなす前記表面の４隅のうちの一箇所に、第一の長辺を底とするように配置され、第二の表示部は前記長方形状をなす前記表面の中心点に関して前記第一の表示部の対象となる位置に、前記第一の長辺に対向する第二の長辺を底とするように配置されることで、前記更衣室へ向かう方向からは前記第一の表示部が認識可能な方向に配置され、前記浴室からは前記第二の表示部が認識可能な方向に配置され、
前記表面の大きさは、短辺が３０ｃｍ以上６０ｃｍ以下、前記長辺が５０ｃｍ以上９０ｃｍ以下である請求項１記載の抗菌性マット。
【請求項３】
サウナの床面に敷設して使用し、
前記抗菌性繊維を用いて表面が長方形状となるように形成され、該表面に少なくとも２個の表示部を有し、該表示部に抗菌性能を有する内容の表示がされるとともに、第一の表示部は長方形状をなす前記表面の４隅のうちの一箇所に、第一の長辺を底とするように配置され、第二の表示部は前記長方形状をなす前記表面の中心点に関して前記第一の表示部の対象となる位置に、前記第一の長辺に対向する第二の長辺を底とするように配置され、
前記表面の大きさは、短辺が６０ｃｍ以上８０ｃｍ以下、前記長辺が９０ｃｍ以上１７０ｃｍ以下である請求項１記載の抗菌性マット。
【考案の詳細な説明】
【技術分野】
【０００１】
本考案は、抗菌性マットに関する。
【背景技術】
【０００２】
浴室の出入り口となる更衣室の床面には、濡れた足を拭くためにマットが敷設されている。また、サウナの床面にもマットを敷くことが多い。従来から、このようなマットには綿製品が多く利用されている。
【０００３】
ところが従来のマットには、その素材自体に抗菌作用が無いために、濡れたまま放置しておくと細菌が繁殖しやすくなり、その結果、不快な臭いを発する問題点があった。また、特に公衆浴場においては不特定多数の人が使用するために、マットを介して水虫が伝染する問題もあった。そのため、安心してマットを使用できなかった。
【考案の開示】
【考案が解決しようとする課題】
【０００４】
本考案は上述のような事情を背景になされたもので、特に、サウナの床面、又は浴室の出入り口となる更衣室の床面に敷設して使用し、細菌が繁殖しにくく、安心して使用できる抗菌性マットを提供することを課題とする。
【課題を解決するための手段および考案の効果】
【０００５】
上記課題を解決するために本考案は、サウナの床面、又は浴室の出入り口となる更衣室の床面などの、湿気の多い部屋に敷設して使用する抗菌性マットにおいて、銀、銅、亜鉛から選択される少なくとも一種の金属元素を含有する無機系抗菌剤と、消臭剤とを、アクリル、ポリプロピレン、ポリエステル、ポリアミドから選択される少なくとも一種の高分子化合物から成りかつ多孔質構造を有する高分子繊維の表面に定着させるか又は繊維内部に分散させた抗菌性繊維を用いて形成され、前記抗菌性繊維は、前記サウナまたは前記浴室の使用によって発生した水分の付着に伴って、前記無機系抗菌剤の金属元素をイオンとして、繊維の孔または表面から前記水分中に放出し、該金属イオンによって細菌の増殖を抑制するとともに、前記消臭剤をも放出して、前記細菌に起因する悪臭を低減し、かつ、前記抗菌性繊維の孔は毛細管現象によって前記水分を吸収する水分吸収孔として機能することを主要な特徴とする。
【０００６】
本考案の抗菌性マットは、その素材に抗菌剤を含有する抗菌性繊維を用いているので、細菌が繁殖しにくく、また、水虫などの病気が伝染しにくい。ここで抗菌剤とは、例えば無機系であれば銅、銀、亜鉛などの金属元素を、ゼオライトや溶解性ガラス、またはリン酸ジルコニウムなどの担体に担持させたものである。このような無機系抗菌剤は一般に、抗菌持続期間が長いことが知られている。ゼオライト、溶解性ガラス、リン酸ジルコニウムなどに金属を担持させたものは、その使用に伴って金属イオンを徐放し、大腸菌などの細菌の繁殖を抑制する効果を持つ。一方、有機系抗菌剤としてはトリクロサン、クロルヘキシジン、スルファジアジン、ジンクピリチオンなどが用いられる。有機系抗菌剤は高い抗菌性能を示すものの、抗菌持続期間が短く、また、安全性の問題が指摘されている物質も多い。
【０００７】
本考案の抗菌性マットは、上述した無機系抗菌剤でも有機系抗菌剤でも、どちらでも使用可能であるが、中でも無機系抗菌剤が望ましく、特に銀系抗菌剤が好適である。その理由は、銀系抗菌剤は抗菌効果が高く、効果の持続期間が長く、かつ安全性にも優れているためである。本考案のように、素足が接触するものには、安全性が高い抗菌剤を用いることが望ましい。
【０００８】
また、有機系または無機系の抗カビ剤を更に配合することが好ましい。抗カビ剤を含有させることで、長時間濡れていてもカビが発生しにくく、また、水虫（白癬菌）も繁殖しにくい。ここで無機系の抗カビ剤とは上述の抗菌剤と同じように、金属を担体に含ませたものであり、有機系の抗カビ剤とは例えば有機リン化合物、有機スズ化合物、テトラクロロイソフタロニトリル化合物、ベンズイミダゾール系化合物等である。
【０００９】
上述の抗菌剤を製造した後に、綿などの天然繊維や、ポリプロピレンなどからなる合成繊維、またはレーヨンなどの再生繊維に抗菌剤を複合化させて、抗菌性繊維を得る。例えば合成繊維の場合は、ポリプロピレン等の高分子材料を溶融して溶融紡糸原液を作り、これに抗菌剤を添加した後、公知の溶融紡糸法を用いて紡糸することで、繊維と抗菌剤が複合化した抗菌性繊維を得る。また、天然繊維の場合は、抗菌剤を分散させたコロイド溶液と、バインダー成分を含有する混合溶液を予め用意し、この混合溶液に繊維を接触させて、繊維表面に抗菌剤を定着させる方法などが採用される。
【００１０】
このようにして得られた抗菌性繊維を用いてマットを製造すると、抗菌剤から例えば銀イオンなどの抗菌性物質が徐放されるので、浴室の出入り口の床面やサウナなど、湿気を伴う場所で使用しても細菌の繁殖を抑制できる。その結果、不快な臭いの発生を低減できる。また、公衆浴場などで使用したとしても、水虫の伝染を防止しやすい。
【００１１】
抗菌性繊維としてはアクリル、ポリプロピレン、ポリエステル、ポリアミドから選択される少なくとも一種の高分子化合物から成りかつ多孔質構造を有する高分子繊維の表面に抗菌剤を定着させるか又は繊維内部に分散させたものを用いるのが最も望ましい。ここで定着とは、例えばバインダーなどを用いて抗菌剤を繊維基質の表面に定着させることであり、分散とは、例えば上述した溶融紡糸法を用いて繊維内部に抗菌剤を練りこむことを指す。また、抗菌剤は無機系抗菌剤が望ましい。このようにすると、浴室やサウナから発生する水分が抗菌性マットに付着した場合、抗菌性繊維の孔や表面から金属イオンが放出され、細菌の増殖を抑制できるようになる。また、このような抗菌性繊維に、消臭剤を更に配合するとよい。消臭剤を配合すると、繊維の孔や表面から消臭剤も放出されるので、細菌の繁殖に伴う悪臭を抑制できる。さらには、抗菌性繊維の孔は毛細管現象によって水分を吸収する水分吸収孔としても機能する。繊維を多孔質構造とすることで、繊維の表面積が大きくなり、金属イオンを放出しやすくなる。また、毛細管現象によって水分を吸収しやすくなる。このような構造を有する抗菌性繊維としては、例えばカネボウ合繊株式会社製ビオセーフを例示できる。
【００１２】
また、上記課題を解決するために本考案の抗菌性マットは、浴室の出入り口となる更衣室の床面に敷設して使用し、前記抗菌性繊維を用いて表面が長方形状となるように形成され、該表面に少なくとも２個の表示部を有し、該表示部に抗菌性能を有する内容の表示がされるとともに、第一の表示部は長方形状をなす前記表面の４隅のうちの一箇所に、第一の長辺を底とするように配置され、第二の表示部は前記長方形状をなす前記表面の中心点に関して前記第一の表示部の対象となる位置に、前記第一の長辺に対向する第二の長辺を底とするように配置されることで、前記更衣室へ向かう方向からは前記第一の表示部が認識可能な方向に配置され、前記浴室からは前記第二の表示部が認識可能な方向に配置され、前記表面の大きさは、短辺が３０ｃｍ以上６０ｃｍ以下、前記長辺が５０ｃｍ以上９０ｃｍ以下であることを特徴とする。
【００１３】
本考案の抗菌性マットは上述の抗菌性繊維を用いて長方形状に形成される。浴室の出入り口となる更衣室の床面に敷設して使用する場合は、短辺が３０ｃｍ以上６０ｃｍ以下、長辺が５０ｃｍ以上９０ｃｍ以下であるのが、最も好適な大きさである。このようにした上で、少なくとも２個の表示部を表面に形成し、この表示部に、マットが抗菌性能を有していることを表示する（例えば「抗菌加工」とする）とよい。また、この２個の表示部のうち、一つは更衣室側から認識可能な方向に向き、他の一つは浴室側から認識可能な方向に向くように配置されるとよい。このようにすると、どちらの方向からでも容易に認識できるので、使用者は安心して足を拭くことができる。本考案では、第一の表示部を長方形状をなす表面の４隅のうちの一箇所に、第一の長辺を底とするように配置し、第二の表示部を、長方形状をなす表面の中心点に関して第一の表示部の対象となる位置に、第一の長辺に対向する第二の長辺を底とするように配置することで、更衣室側からでも浴室側からでも表示を容易に認識できるようにしている。
【００１４】
同様にして、サウナの床面に敷設して使用する場合は、短辺が６０ｃｍ以上８０ｃｍ以下、長辺が９０ｃｍ以上１７０ｃｍ以下であるのが、最も好適な大きさである。
【考案を実施するための最良の形態】
【００１５】
以下、本考案を実施するための形態を、図面を用いて説明する。
図１(ａ)は、本考案に係わる抗菌性マットの表面図である。抗菌性マット１は抗菌性繊維からなり、この抗菌性繊維はアクリル、ポリプロピレン、ポリエステル、ポリアミドから選択される少なくとも一種の高分子化合物から成りかつ多孔質構造を有している。そして銀などの金属をゼオライト、溶解性ガラス、リン酸ジルコニウムから選択される少なくとも１種の担体に担持させた無機系抗菌剤を、繊維表面に定着させるか又は繊維内部に分散させている。浴室の使用によって発生した水分が抗菌性マットに付着した場合は、抗菌性繊維の孔または表面から無機系抗菌剤の金属イオンが水分中に放出され、金属イオンの働きによって細菌の増殖が抑制される。また、消臭剤も放出されるので、細菌に起因する悪臭を低減できる。さらには、抗菌性繊維の孔は毛細管現象によって水分を効果的に吸収する水分吸収孔として機能する。
【００１６】
一方、抗菌性マット１は長方形状に形成され、その表面に２個の表示部Ｌ１，Ｌ２を有する。表示部Ｌ１，Ｌ２には抗菌性能を有することが記載されており、本実施形態では一例として「抗菌加工」としてある。第一の表示部Ｌ１は長方形状をなす表面の右隅に、第一の長辺ＬＥ１を底とするように配置されている。また、第二の表示部Ｌ２は、図示しない中心点に関して第一の表示部Ｌ１の対称となる位置に、第一の長辺ＬＥ１と対向する第二の長辺ＬＥ２を底とするように配置されている。このようにすると、例えば公衆浴場で使用された場合に、当該マットが抗菌性能を有することが一目で分かるので、安心して踏むことができる。
【００１７】
抗菌性マット１の大きさは、使用状態によって適宜、好適な大きさとされる。例えば浴室の出入り口に敷設する場合は、短辺ＳＥが３０ｃｍ以上６０ｃｍ以下、かつ長辺ＬＥが５０ｃｍ以上９０ｃｍであるのが好ましい大きさである。また、サウナの床面に使用する場合は、短辺ＳＥが６０ｃｍ以上８０ｃｍ、長辺ＬＥが９０ｃｍ以上１７０ｃｍ以下であることが好ましい。
【００１８】
図１（ｂ）は抗菌性マットの一使用例である。図１（ｂ）においては浴場にシャワーＳ、風呂桶Ｂが備えられており、その出入り口となる更衣室の床面Ｆに、抗菌性マット１が敷設されている。抗菌性マット１は上述の抗菌性繊維から成るので、図のように湿気の多い場所で使用されたとしても抗菌物質を少しずつ放出し、細菌の繁殖を抑制して不快な臭いを低減できるとともに、水虫の伝染を抑制できる。さらには、抗菌性マット１の表面に「抗菌加工」の表示部Ｌ１，Ｌ２が形成されているので、一目みて抗菌性能を有することが認識でき、安心して踏むことができる。図のように、第一の表示部Ｌ１は更衣室側から読み取れる方向に配置され、第二の表示部Ｌ２は浴室側から読み取れる方向に配置されている。そのため、浴室へ入る人も、浴室から出てくる人も、表示を簡単に認識できる。
【００１９】
なお、図示しないが、本考案の抗菌性マットをサウナの床面に敷設する使用形態もある。サウナの床面に敷かれるマットは、湿度が高い環境であるために細菌が繁殖しやすい。しかし本考案の抗菌性マットを使用すれば、上述した抗菌性繊維の効果で細菌の繁殖を抑制できる。抗菌性を有することの表示もされているので、サウナの使用者が安心して踏むことができる。
【図面の簡単な説明】
【００２０】
【図１】（ａ）本考案に係わる抗菌性マットの表面図。（ｂ）同じく一使用例。
【符号の説明】
【００２１】
１  抗菌性マット
Ｂ  風呂桶
Ｆ  床面
Ｌ１  第一の表示部
Ｌ２  第二の表示部
ＬＥ  長辺
Ｓ  シャワー
ＳＥ  短辺
【図１】
0003104549.tif 000003